(57)【要約】      （修正有）【課題】スプールを制動する制動装置を有する両軸受リールにおいて、スプールの慣性量の増加を抑えるとともに、制動装置の構成を大きくすることなく、スプールの回転に応じた制動力をスプールに適切に付与できるようにすることにある。【解決手段】両軸受リール本体は、スプール軸３と、スプールと、スプールを制動する制動装置と、を備えている。スプール軸３は、リール本体に回転自在に支持されている。スプールは、スプール軸３に回転不能に装着され、外周に釣糸を巻き付け可能な糸巻胴部を有している。制動装置は、スプールの一部と対向するとともにハルバッハ配列を形成して配置される複数の磁石２７を有し、磁石２７のスプールの一部に対する磁力によりスプールを制動する。【選択図】図４
2018000108.tif 000002
【特許請求の範囲】
【請求項１】
リール本体と、
前記リール本体に回転自在に支持されたスプール軸と、
前記スプール軸に回転不能に装着され、外周に釣糸を巻き付け可能な糸巻胴部を有するスプールと、
前記スプールの一部と対向するとともにハルバッハ配列を形成して配置される複数の磁石を有し、前記磁石の前記スプールの一部に対する磁力により前記スプールを制動する制動装置と、
を備えた、両軸受リール。
【請求項２】
前記スプールは、前記スプール軸が貫通する筒状の軸取付部と、前記糸巻胴部と前記軸取付部とを連結する連結壁部と、を有し、
前記複数の磁石は、前記連結壁部に対向して配置される、
請求項１に記載の両軸受リール。
【請求項３】
前記複数の磁石は、前記糸巻胴部に対向して配置される、請求項１に記載の両軸受リール。
【請求項４】
前記スプールは、前記糸巻胴部の一端に前記糸巻胴部よりも大径に形成された第１フランジ部と、前記糸巻胴部の他端に前記糸巻胴部よりも大径に形成された第２フランジ部と、前記第１フランジ部の先端からさらに軸方向に延びる鍔部と、を有し、
前記複数の磁石は、前記鍔部に対向して配置される、
請求項１に記載の両軸受リール。
【請求項５】
前記制動装置は、前記複数の磁石を取付けるための磁石取付部材を有する、請求項１から４のいずれか１項に記載の両軸受リール。
【請求項６】
前記制動装置は、前記磁力に基づいて、前記磁石取付部材を相対的に移動させ、前記磁石取付部材の移動に応じて前記磁力の作用を変化させる、請求項５に記載の両軸受リール。
【請求項７】
前記制動装置は、前記磁石取付部材を軸方向に移動させることによって制動力を調整する調整部材をさらに有する、請求項６に記載の両軸受リール。
【発明の詳細な説明】
【技術分野】
【０００１】
本発明は、両軸受リール、特に、スプールを制動する制動装置を有する両軸受リールに関する。
【背景技術】
【０００２】
釣り糸が繰り出されるときにスプールが回転する両軸受リールでは、キャスティング時にスプールの回転速度が糸繰り出し速度より速くなり、釣り糸がたるんで糸ふけが生じ、糸が絡む、いわゆるバックラッシュが生じる。スプールの慣性が大きいと仕掛けの投擲に伴ってスプールが回転しにくく、飛距離が伸びないばかりか、制動力をかけても速度が低下しにくく、バックラッシュが生じやすい。そこで、スプールの糸巻胴部に貫通孔を形成し、スプールの慣性量の低減を図ったものが知られている。
【０００３】
また、回転するスプールに制動力を付与するための制動装置を設けたものが提供されている。例えば、特許文献１の制動装置は、スプール軸に非磁性体の導電環体を固定して、導電環体に対向して配置される磁石により渦電流を発生させてスプールの回転を制動する。
【先行技術文献】
【特許文献】
【０００４】
【特許文献１】実公平０２−０３３６７２
【発明の概要】
【発明が解決しようとする課題】
【０００５】
このような制動装置は、導電体と磁石との距離が離れた場合、渦電流が十分に発生せずに必要とする制動力が得られないことがある。導電体と磁石との距離を接近させた場合は、制動力は大きくなるが、クリアランスが小さすぎると、導電体と磁石が接触してしまう恐れがある。また、制動トルクを大きくするために導電体の径を大きくすると、慣性量が増加するため、かえってバックラッシュが生じやすくなる。
【０００６】
本発明の課題は、スプールを制動する制動装置を有する両軸受リールにおいて、スプールの慣性量の増加を抑えるとともに、導電体と磁石のクリアランスを保ちつつ、スプールの回転に応じた制動力をスプールに適切に付与できるようにすることにある。
【課題を解決するための手段】
【０００７】
本発明の一側面に係る両軸受リールは、リール本体と、スプール軸と、スプールと、スプールを制動する制動装置と、を備えている。スプール軸は、リール本体に回転自在に支持されている。スプールは、スプール軸に回転不能に装着され、外周に釣糸を巻き付け可能な糸巻胴部を有している。制動装置は、スプールの一部と対向するとともにハルバッハ配列を形成して配置される複数の磁石を有し、磁石のスプールの一部に対する磁力によりスプールを制動する。
【０００８】
この両軸受リールでは、スプールの一部と対向して配置される磁石の着磁方向が９０度ずつ異なるハルバッハ配列を形成して複数の磁石が配置されているため、磁石の片側に磁界が集中する。これにより、より大きな制動力を得ることができる。
【０００９】
好ましくは、スプールは、スプール軸が貫通する筒状の軸取付部と、前記糸巻胴部と前記軸取付部とを連結する連結壁部と、を有している。複数の磁石は、連結壁部に対向して配置されている。この場合も、磁石の片側に磁界が集中するため、より大きな制動力を得ることができる。さらに、糸巻胴部の全体に貫通孔を設けることができ、スプールの慣性量をより低減することができる。
【００１０】
好ましくは、複数の磁石は、糸巻胴部に対向して配置されている。この場合も、磁石の片側に磁界が集中するため、より大きな制動力を得ることができる。
【００１１】
好ましくは、スプールは、糸巻胴部の一端に糸巻胴部よりも大径に形成された第１フランジ部と、糸巻胴部の他端に糸巻胴部よりも大径に形成された第２フランジ部と、第１フランジ部の先端からさらに軸方向に延びる鍔部と、を有している。複数の磁石は、鍔部に対向して配置されている。この場合も、磁石の片側に磁界が集中するため、より大きな制動力を得ることができる。
【００１２】
好ましくは、制動装置は、複数の磁石を取付けるための磁石取付部材を有している。
【００１３】
好ましくは、制動装置は、磁力に基づいて、磁石取付部材を相対的に移動させ、磁石取付部材の移動に応じて磁力の作用を変化させる。これにより、スプールの回転に応じた制動力をスプールに適切に付与することができる。
【００１４】
好ましくは、制動装置は、磁石取付部材を軸方向に移動させることによって制動力を調整する調整部材をさらに有している。これにより、制動力の調整を容易に行うことができる。
【発明の効果】
【００１５】
本発明によれば、スプールの慣性量の増加を抑えるとともに、制動装置の構成を大きくすることなく、スプールの回転に応じた制動力をスプールに適切に付与することができる。
【図面の簡単な説明】
【００１６】
【図１】本発明の第１実施形態が採用された両軸受リールの側面図
【図２】本発明の第１実施形態が採用された両軸受リールの断面図
【図３】制動装置を含む両軸受リールの分解斜視図。
【図４】制動装置を含む両軸受リールの拡大断面図。
【図５】制動装置の部分拡大図。
【図６】磁石をハルバッハ配列で配置したときの磁力線を示した図
【図７】制動装置の側面図。
【図８】スプールが回転したときにおける制動装置の側面図の一例を示した図。
【図９】第２実施形態の断面図
【図１０】第２実施形態の制動装置を含む両軸受リールの分解斜視図。
【図１１】第２実施形態の磁石取付部材の正面図。
【図１２】第３実施形態におけるスプールの図。
【発明を実施するための形態】
【００１７】
［第１実施形態］
＜両軸受リールの全体構成＞
図１及び図２は、本発明の第１実施形態が採用された両軸受リールの側面図及び断面図を示している。この両軸受リールは、リール本体１と、リール本体１の内部に配置されたスプール２と、リール本体１に回転自在に支持されたスプール軸３と、リール本体１の側方に配置されたスプール２の回転用ハンドル４と、スプール２の回転を制動するための制動装置５と、を備えている。
【００１８】
リール本体１は、図２に示すように、フレーム６と、フレーム６の両側方に装着された第１側カバー７及び第２側カバー８と、フレーム６上部に装着された図示しないサムレストと、を有している。フレーム６は、所定の間隔を開けて互いに対向するように配置された１対の第１側板９及び第２側板１０と、これらを連結する図示しない複数の連結部と、を有している。
【００１９】
第１側カバー７の内側面には、図３に示すように、スプール軸３の一端を支持する軸支持部１１を固定するための複数（例えば３つ）の固定ボス部７ａが形成されている。軸支持部１１は、概ね円筒形状であり、中央にスプール軸３を収容するための円筒部１１ａを有している。円筒部１１ａには、スプール軸３の一端を回転自在に支持するための軸受１２ａが配置されている。軸支持部１１の内側（ハンドル４側）には、制動装置５が配置されている。また、軸支持部１１の底面はスプール軸３と直交しており、この軸支持部１１の底面には、軸支持部１１を固定するためのネジ部材１３が貫通する孔１１ｂと、後述する支持部材２０の係止部２３が挿入される長孔１１ｃと、が設けられている。
【００２０】
スプール２は、図２および図４に示すように、釣り糸を巻き付け可能な筒状の糸巻胴部１４と、スプール軸３に固定される筒状の軸取付部１５と、糸巻胴部１４と軸取付部１５とを連結する連結壁部１６と、を有している。スプール２は、軸取付部１５を貫通するスプール軸３に対して回転不能となるように、軸取付部１５とスプール軸３とが例えばセレーションにより結合されている。スプール２は、例えばアルミニウム合金製であり、非磁性の電気的導電体である。
【００２１】
糸巻胴部１４は、内周側において空間を有するように形成されている。また、糸巻胴部１４には、図３に示すように、スプール２の軽量化を図るために、それぞれ複数の円形の貫通孔１７および楕円形の貫通孔１８が、一定の間隔を隔てて形成されている。
【００２２】
連結壁部１６は、図２および図４に示すように、糸巻胴部１４と軸取付部１５とを連結しており、円板状に形成されている。連結壁部１６は、内周側に比較して外周側の肉厚が厚くなっている。より詳細には、後述する磁石２７と対向する側の第１側面１６ａの外周側が、内周側よりも磁石２７に接近するように傾斜している。なお、第１側面１６ａと逆側の第２側面１６ｂは、回転軸に対して直交するように形成されている。
【００２３】
スプール軸３は、一端が軸支持部１１に配置される軸受１２ａによって回転自在に支持される。スプール軸３の他端は、第２側板１０を貫通して第２側カバー８の外方に延びており、軸受１２ｂにより、第２側カバー８に形成されたボス部１９に回転自在に支持されている。
【００２４】
ハンドル４は、板状のアーム部４ａと、アーム部４ａの両端に回転自在に装着された１対の把持部４ｂとを、有している。
【００２５】
＜制動装置５の構成＞
制動装置５は、リール本体１に回転自在に装着されたスプール２の回転を制動するためのものである。図３に示すように、制動装置５は、支持部材２０と、１対の磁石取付部材２４と、複数の磁石２７と、２つのばね部材２８と、固定板２９と、を有している。
【００２６】
支持部材２０は、概ね円筒形状であり、その中心軸はスプール軸３の中心軸（回転軸）と一致している。支持部材２０は、軸支持部１１の円筒部１１ａの外周を覆うように配置され、軸方向に移動可能である。支持部材２０の外周面には、１対の突起部２１と１対の保持爪２２とが形成されている。１対の突起部２１は、径方向外方に突出し、対向する位置に形成されている。また、各突起部２１には軸方向に貫通する孔２１ａが形成されている。１対の保持爪２２は、円周方向において１対の突起部２１の間に、径方向に突出し、対向する位置に形成されている。また、支持部材２０は、第１側カバー７方向に延びる１対の係止部２３を有している。係止部２３は軸支持部１１に形成された長孔１１ｃに挿入されている。これにより、支持部材２０は、軸方向に移動可能で、かつ回転不能である。なお、一方の係止部２３の先端部の外周面には、突起２３ａが形成されている。
【００２７】
１対の磁石取付部材２４は周方向に間隔を隔てて配置されている。各磁石取付部材２４は、円周方向に延びる円弧状に形成されており、支持部２５と、係合部２６と、を有している。
【００２８】
支持部２５は、磁石取付部材２４の長手方向の第１端側に設けられており、軸方向の両端面に円柱形状の突起部２５ａを有している。突起部２５ａは、支持部材２０の突起部２１に形成された孔２１ａと、後述する固定板２９の貫通孔２９ａと、に挿入されている。これにより、磁石取付部材２４は、支持部材２０と固定板２９とによって支持され、内周側の第１位置と外周側の第２位置との間で回動自在である。
【００２９】
係合部２６は、磁石取付部材２４の長手方向の第２端側（第１端とは逆側）に設けられている。係合部２６は、支持部材２０の保持爪２２と係合して、磁石取付部材２４の回動範囲を規制している。また、係合部２６には、ばね部材２８を装着するための突起２６ｃが設けられている。
【００３０】
ここで、支持部材２０の保持爪２２と磁石取付部材２４の係合部２６とについて詳細に説明する。図５に拡大して示すように、支持部材２０の保持爪２２は、円周方向に延びる外周部２２ａと、外周部２２ａの先端から内周側に延びるストッパ部２２ｂと、を有している。このような構成により、外周部２２ａの内周側には空間Ａが形成されている。
【００３１】
一方、係合部２６は、磁石取付部材２４の第２端から延びる内周部２６ａと、内周部２６ａの先端から外周側に延びるストッパ部２６ｂと、を有している。そして、係合部２６のストッパ部２６ｂが支持部材２０の保持爪２２に形成された空間Ａに進入するように配置され、両ストッパ部２２ｂ，２６ｂが対向している。
【００３２】
複数の磁石２７は、磁石取付部材２４にはめ込まれて固定されており、磁石取付部材２４に一体的に設けられている。複数の磁石２７は、図３、図４及び図７に示すように、連結壁部１６と向き合うように、一定の間隔を隔てて周方向に並べられて配置されている。磁石２７は、一面側がＮ極で他面側がＳ極からなる直方体の永久磁石である。
【００３３】
図５及び図６に示すように、ここでは、磁石２７がハルバッハ配列を形成して配置されている。詳細には、着磁方向を９０度ずつ変えた５つの磁石２７ａ，２７ｂ，２７ｃ，２７ｄ，２７ｅが配置されている。具体的には、支持部２５に最も隣接する第１磁石２７ａは、Ｓ極の面のみが連結壁部１６に対向するように配置されている。第２磁石２７ｂは、第１磁石２７ａを９０度回転させて、Ｓ極とＮ極とが連結壁部１６に対向するように配置されている。第３磁石２７ｃは、第２磁石２７ｂを９０度回転させて、Ｎ極の面のみが連結壁部１６に対向するように配置されている。第４磁石２７ｅは、第３磁石２７ｃを９０度回転させて、Ｎ極とＳ極とが連結壁部１６に対向するように配置されている。第５磁石は、第４磁石２７ｄを９０度回転させて、Ｓ極の面のみが連結壁部１６に対向するように配置されている。
【００３４】
このようにハルバッハ配列を形成して磁石２７を配置することで、図６に示すように磁石の片側に磁界を集中させることができる。これにより、Ｎ極とＳ極とを交互に配置したときと比べて、より大きな制動力を得ることができる。また、より遠方まで強い磁界が発生するため、磁石２７と連結壁部１６との距離をある程度離しても磁力を環状側壁部１１４ａに及ぼすことができる。
【００３５】
ばね部材２８は、図５に示すようにコイルスプリングであり、磁石取付部材２４の係合部２６のストッパ部２６ｂと、支持部材２０の保持爪２２のストッパ部２２ｂと、の間に配置されている。そして、ばね部材２８は係合部２６から突出して設けられた突起２６ｃに支持されている。ばね部材２８は、磁石取付部材２４の係合部２６を内周側に付勢する。
【００３６】
固定板２９は、概ね円形の板状部材であり、中央にはスプール軸３が通る貫通孔２９ａが形成され、外周側には磁石取付部材２４の突起部２５ａと係合する貫通孔が形成されている。固定板２９は、ねじ部材３０によって支持部材２０に固定されている。
【００３７】
＜調整部材３１＞
調整部材３１は、制動装置５の制動力を調節するものであり、支持部材２０を軸方向に移動させることで、制動力の調整を行う。図３に示すように、調整部材３１は有底筒状に形成されている。また、調整部材３１は、図２に示すように、ネジ部材３２によって軸支持部１１に装着されており、第１側カバー７側から見たとき、半分程度露出した状態になっている。調整部材３１の筒部３１ａの外周面には、螺旋状溝３１ｂが形成されている。この螺旋状溝３１ｂは、図４に示すように支持部材２０の係止部２３の突起２３ａと噛み合っている。これにより、調整部材３１を時計回りに回すと、支持部材２０を有する制動装置５が連結壁部１６に近づく方向へ移動するため、制動力が強くなる。反対に、調整部材３１を反時計回りに回すと、制動装置５が連結壁部１６から離反する方向へ移動するため、制動力が弱くなる。この調整部材３１によって制動力を容易に調整することができる。
【００３８】
＜スプール回転時の制動装置５の動作＞
次に、図７及び図８を参照して、釣り糸をキャストしたときの、制動装置５の動作について説明する。図７はスプール２が回転していないときの状態を示し、図８はスプール２が比較的高速で回転しているときの状態を示している。
【００３９】
スプール２が回転すると、導電体であるスプール２の連結壁部１６に対向する磁石２７の磁束によって、スプール２にはその回転速度に応じた渦電流が発生する。この渦電流によって、スプール２には回転方向と逆方向の力が付与される。これによりスプール２は制動される。
【００４０】
また、制動装置５は、磁石２７の磁力に基づいて磁石取付部材２４を相対的に移動させ、磁石取付部材２４の移動に応じて磁力の作用を変化させる。詳細には、スプール２が渦電流の発生によって制動されている状態では、制動力に応じた反力が磁石２７に作用する。この反力によって、磁石取付部材２４の第２端（係合部２６側）が外周側の第２位置側（図７の位置）に移動すると、制動力が発生する磁石２７が外周側に移動するため、制動力が大きくなる。なお、ここでは釣り糸をキャストしたとき、磁石２７と対向する連結壁部１６は、ばね部材２８が縮む方向に回転する。
【００４１】
さらに、連結壁部１６は、磁石２７の外周側、すなわち磁石２７と対向する側の第１側面１６ａの外周側が、より磁石２７に接近するよう傾斜している。これにより、磁石２７が外周側の第２位置側に移動すると、磁石２７と連結壁部１６との距離が接近する。このため、スプール２の回転が高速になると制動力がより大きくなる。一方、スプール２の回転が低速のときは制動力が小さくなる。このため、キャスティング時の飛距離を伸ばしつつ、バックラッシュによる糸ふけを抑えることができ、より実用性の高い制動機能を実現できる。
【００４２】
また、連結壁部１６と磁石２７とを対向させることによりスプール２の制動を行うため、糸巻胴部１４の全体的に貫通孔１７を設けることができる。このため、スプール２の軽量化を図ることができる。
【００４３】
なお、連結壁部１６の第１側面１６ａと軸方向において逆側の第２側面１６ｂは、軸方向に直交する平面形状となっている。これにより、連結壁部１６の肉厚の増加を避けることができ、スプール２を軽量化することができる。
【００４４】
［第２実施形態］
図９及び図１０は、本発明の第２実施形態が採用された両軸受リールの制動装置１１５を含む部分断面図、および分解斜視図を示している。第２実施形態における両軸受リールの全体構成は、第１実施形態と同様であるため説明を省略する。以下からは第１実施形態と異なる構成について主に説明する。なお、第１実施形態と同じ構成については同じ符号を付している。
【００４５】
＜スプール１１２について＞
第２実施形態におけるスプール１１２は、釣り糸を巻き付け可能な筒状の糸巻胴部１１４と、スプール軸３に固定される筒状の軸取付部１５と、糸巻胴部１１４と軸取付部１５とを連結する連結壁部１１６と、を有している。軸取付部１５は第１実施形態と同じ構成であるため説明を省略する。スプール１１２は、第１実施形態と同様に、軸取付部１５を貫通するスプール軸３に対して回転不能となるように、軸取付部１５とスプール軸３とが例えばセレーションにより結合されている。スプール２は、例えばアルミニウム合金製であり、非磁性の電気的導電体である。
【００４６】
糸巻胴部１１４は、それぞれ複数の円形の貫通孔１７および楕円形の貫通孔１８が、一定の間隔を隔てて形成されている。また、糸巻胴部の軸支持部１１側（図９において左側）の一端には、貫通孔１７が形成されていない環状側壁部１１４ａが設けられている。第２実施形態では、環状側壁部１１４ａに磁石を対向させてスプール１１２の回転を制動する。連結壁部１１６は、均一の肉厚で形成され、回転軸に対して直交している。
【００４７】
＜制動装置１０５の構成について＞
制動装置１０５の構成は、複数の磁石１２７が配置される位置が第１実施形態とは異なっている。具体的には、磁石１２７は、環状側壁部１１４ａと向き合うようにして、磁石取付部材１２４の外周面に、周方向に一定の間隔を隔てて並べて配置されている。すなわち、磁石１２７は、環状側壁部１１４ａと対向する位置に配置されている。したがって、第２実施形態では、環状側壁部１１４ａに作用する磁石１２７の磁力に基づいてスプールの回転を制動する。
【００４８】
図１１に示すように、第２実施形態においても、磁石１２７はハルバッハ配列を形成して配置されている。すなわち、着磁方向を９０度ずつ変えた５つの磁石１２７ａ，１２７ｂ，１２７ｃ，１２７ｄ，１２７ｅが磁石取付部材１２４の外周面に配置されている。これにより、磁石の片側に磁界を集中させることができるため、Ｎ極とＳ極とを交互に配置したときと比べて、より大きな制動力を得ることができる。さらには、遠方まで強い磁界が発生するため、磁石１２７と環状側壁部１１４ａとの距離をある程度離しても磁力を環状側壁部１１４ａに及ぼすことができる。
【００４９】
＜スプール回転時の制動装置１０５の動作＞
制動装置１０５においても、第１実施形態と同様に、スプール１０２が渦電流の発生によって制動されている状態では、制動力に応じた反力が磁石１２７に作用する。この反力によって、磁石取付部材１２４の第２端（係合部２６側）が外周側の第２位置側（第１実施形態と同様に図８の位置）に移動すると、制動力が発生する磁石２７が外周側に移動する。これにより、磁石１２７と環状側壁部１１４ａとの距離が接近するため、制動力が大きくなる。
【００５０】
ここでは、スプール１０２の回転が高速のときは、制動力に応じた反力が大きくなり、磁石１２７と環状側壁部１１４ａとの距離が接近するため、制動力が大きくなる。一方、スプール１０２の回転が低速のときは環状側壁部１１４ａとの距離がそれほど変化しないため、制動力が小さくなる。このため、キャスティング時の飛距離を伸ばしつつ、バックラッシュによる糸ふけを抑えることができ、より実用性の高い制動機能を実現できる。
【００５１】
［第３実施形態］
図１２は、本発明の第３実施形態が採用された両軸受リールのスプール２０２の斜視図を示している。第３実施形態における両軸受リールは、スプール２０２に鍔部３５を形成して、鍔部３５と磁石１２７とを対向させて、スプール２０２の回転を制動する。それ以外は、第２実施形態の構成と同じである。そのため、第１及び第２実施形態と同じ構成については説明を省略する。なお、第１及び第２実施形態と同じ構成については同じ符号を付している。
【００５２】
スプール２０２は、第１フランジ部３３と、第２フランジ部３４と、鍔部３５と、を有している。第１フランジ部１２は、糸巻胴部１４の一端（図１２において右側）に糸巻胴部１４の外径よりも大径に形成されている。第２フランジ部３４は、糸巻胴部１４の他端（図１２において左側）に糸巻胴部１４の外径よりも大径に形成されている。ここでは、第１フランジ部３３と第２フランジ部３４の外径は同じである。
【００５３】
鍔部３５は、第１フランジ部３３の外周部の先端からさらに軸方向外側（図１２において右側）に延びて形成されている。また、鍔部３５は、スプール２０２の慣性量の増加を抑えるために第１フランジ部３３のみに形成されている。このため、スプール２０２は、左右非対称形状となっている。
【００５４】
第３実施形態では、第２実施形態における制動装置１０５をスプールの鍔部３５の一部と対向させて、スプール２０２を制動する。この場合は、スプール２０２の回転中心から離れた鍔部３５を導電体として用いるため、導電体をスプール２０２の回転中心の近くに設けたときと比べて、より大きな制動力を得ることができる。
【００５５】
［他の実施形態］
本発明は以上のような実施形態に限定されるものではなく、本発明の範囲を逸脱することなく種々の変形又は修正が可能である。
【００５６】
（ａ）前記実施形態では、スプール２，１０２，２０２を導電体として用いたが、スプール２は導電体の一例であり、連結壁部１６の第１側面１６ａ、環状側壁部１１４ａの内周面および鍔部３５の内周面のみを導電体として用いてもよいし、これらの位置に磁性体を設けてもよい。
【００５７】
（ｂ）前記実施形態では、磁石取付部材２４，１２４に５個の磁石２７，１２７を配置したが、磁石２７，１２７の数や間隔および大きさや形状は任意に設定変更可能である。
【符号の説明】
【００５８】
１  リール本体
２，１０２，２０２  スプール
３  スプール軸
５，１０５  制動装置
１１  軸支持部
１４，１１４  糸巻胴部
１５  軸取付部
１６  連結壁部
１６ａ  第１側面
１６ｂ  第２側面
２０  支持部材
２２  保持爪
２３  係止部
２３ａ  突起
２４，１２４  磁石取付部材
２５  支持部
２６  係合部
２７，１２７  磁石
２８  ばね部材
３１  調整部材
３１ｂ  螺旋状溝
３３  第１フランジ部
３４  第２フランジ部
３５  鍔部
１１４ａ  環状側壁部
【図１】
2018000108.tif 000003
【図２】
2018000108.tif 000004
【図３】
2018000108.tif 000005
【図４】
2018000108.tif 000006
【図５】
2018000108.tif 000007
【図６】
2018000108.tif 000008
【図７】
2018000108.tif 000009
【図８】
2018000108.tif 000010
【図９】
2018000108.tif 000011
【図１０】
2018000108.tif 000012
【図１１】
2018000108.tif 000013
【図１２】
2018000108.tif 000014